(57)【要約】【課題】ケーブルの外周と端面板との間のシール部からのガス漏洩を含むクロージャのガス漏洩をクロージャを解体すること無く抑止することができ、その抑止効果を長時間持続させる。【解決手段】クロージャ１のガス漏洩補修具であって、クロージャ１の外側でケーブルＬの外周面に密着して巻かれるケーブル外周封止部材２０と、ケーブル外周封止部材２０の外周に密着すると共にクロージャ１の端面の全面を被う全面封止部材２１と、全面封止部材２１の外周を囲んで全面封止部材２１をクロージャ１の端面側に押圧する押圧具３０とを備える。【選択図】図４
2016063656.tif 000002
【特許請求の範囲】
【請求項１】
接続又は分岐対象となる双方の通信ケーブル端部間に装着され、接続部又は分岐部を囲むと共に双方の通信ケーブル間のガス流通を確保するクロージャのガス漏洩補修具であって、
前記クロージャの外側でケーブルの外周面に密着して巻かれるケーブル外周封止部材と、
前記ケーブル外周封止部材の外周に密着すると共に前記クロージャの端面の全面を被う全面封止部材と、
前記全面封止部材の外周を囲んで当該全面封止部材を前記クロージャの端面側に押圧する押圧具とを備えることを特徴とする通信ケーブル用クロージャのガス漏洩補修具。
【請求項２】
前記押圧具は、前記クロージャの外周面に固定される固定リングと、前記全面封止部材を押す押し具と、前記固定リング側に前記押し具を引き寄せる引き寄せ具とを備えることを特徴とする請求項１に記載の通信ケーブル用クロージャのガス漏洩補修具。
【請求項３】
前記押し具は、前記全面封止部材の周囲を囲む半割状の枠部材を備えることを特徴とする請求項２記載の通信ケーブル用クロージャのガス漏洩補修具。
【請求項４】
前記押し具は、前記枠部材に固定され前記全面封止部材の中央部分を押す押し板部材を備えることを特徴とする請求項３記載の通信ケーブル用クロージャのガス漏洩補修具。
【請求項５】
前記押し具によって前記クロージャ側に押されて前記ケーブル外周封止部材を押圧する押圧部材と、該押圧部材を前記ケーブルの周囲に巻き止める巻き止め部材とを備えることを特徴とする請求項２〜４のいずれかに記載された通信ケーブル用クロージャのガス漏洩補修具。
【請求項６】
接続又は分岐対象となる双方の通信ケーブル端部間に装着され、接続部又は分岐部を囲むと共に双方の通信ケーブル間のガス流通を確保するクロージャのガス漏洩補修工法であって、
前記クロージャの外側でケーブル外周封止部材をケーブルの外周面に密着して巻き付ける工程と、
前記ケーブル外周封止部材の外周に密着すると共に前記クロージャの端面の全面を被う全面封止部材を前記クロージャの端面に配備する工程と、
前記全面封止部材の外周を囲んで当該全面封止部材を前記クロージャの端面側に押圧する押圧具を装着し、該押圧具によって前記全面封止部材を押圧する工程とを有することを特徴とする通信ケーブル用クロージャのガス漏洩補修工法。
【発明の詳細な説明】
【技術分野】
【０００１】
本発明は、通信ケーブル用クロージャのガス漏洩補修具及びにそれを用いたガス漏洩補修工法に関するものである。
【背景技術】
【０００２】
通信ケーブルは、ケーブル内部への浸水防止策としてケーブル内部に連続的に乾燥空気などのガスを封入しており、ケーブルが傷ついた場合にもそこからガスを吹き出させることで水の浸入を防いでいる。また、ケーブル内を流れるガスの圧力変化を検出することによってガスの漏洩箇所を遠隔監視しており、これによって通信ケーブルを遠隔的に保守管理している。
【０００３】
このような通信ケーブルは、ケーブル端が開放されてしまう接続部や分岐部においても連続的なガスの流れを維持できるように、接続又は分岐される双方のケーブル端部を全て気密に囲い込む枠体が設けられている。この枠体にはクロージャと呼ばれるものがあり、クロージャ内にケーブル端を開放させることで、互いに接続又は分岐される双方のケーブル間でのガスの流通を確保している。
【０００４】
クロージャは、半割状の端面板でケーブル端部を気密に挟み込み、対面する一対の端面板の外周に半割状のスリーブを気密に取り付けて円筒状の枠体を構成している。このクロージャは、振動の付加や経年劣化によって内部の気密性が維持できない場合が生じており、その補修作業が必要になっている。その際、クロージャを解体してシール材などを交換する作業を行おうとすると、ケーブル内の内圧を所定の値に維持したままの作業が困難であり、また、通信線の接続箇所や分岐箇所に悪影響を及ぼさない作業が必要になるため、多大な労力を要する作業にならざるを得ない。
【０００５】
そこで従来から、クロージャを解体すること無くガスの漏洩箇所を封止する補修工法が提案されている。例えば下記特許文献１においては、クロージャの端面板の外側をケーブルの外周と共に樹脂で覆うことで、ケーブルの外周面と端面板との間のシール部から漏れるガスを封止する補修工法が提案されている。
【先行技術文献】
【特許文献】
【０００６】
【特許文献１】特開平５−１４６０２６号公報
【発明の概要】
【発明が解決しようとする課題】
【０００７】
前述した従来技術によると、クロージャを解体すること無く、比較的簡易な作業でケーブルの外周面とそれを挟み込む端面板との間の気密性を回復させることが可能になる。しかしながら、一般にケーブルの外皮はポリエチレン製であるため、これとの間で高い密着性を長時間維持できる樹脂材料の選択が難しく、補修によって一時的にガス漏洩を抑止することができても、時間経過と共に再びガス漏洩が発生してしまう不具合があり、繰り返しの補修作業に時間とコストがかかる問題があった。
【０００８】
本発明は、このような問題に対処することを課題の一例とするものである。すなわち、クロージャのガス漏洩をクロージャを解体すること無く抑止することができ、その抑止効果を長時間持続させることができること、等が本発明の目的である。
【課題を解決するための手段】
【０００９】
このような目的を達成するために、本発明による通信ケーブル用クロージャのガス漏洩補修具及びガス漏洩補修工法は以下の構成を具備するものである。
【００１０】
接続又は分岐対象となる双方の通信ケーブル端部間に装着され、接続部又は分岐部を囲むと共に双方の通信ケーブル間のガス流通を確保するクロージャのガス漏洩補修具であって、前記クロージャの外側でケーブルの外周面に密着して巻かれるケーブル外周封止部材と、前記ケーブル外周封止部材の外周に密着すると共に前記クロージャの端面の全面を被う全面封止部材と、前記全面封止部材の外周を囲んで当該全面封止部材を前記クロージャの端面側に押圧する押圧具とを備えることを特徴とする通信ケーブル用クロージャのガス漏洩補修具。
【００１１】
接続又は分岐対象となる双方の通信ケーブル端部間に装着され、接続部又は分岐部を囲むと共に双方の通信ケーブル間のガス流通を確保するクロージャのガス漏洩補修工法であって、前記クロージャの外側でケーブル外周封止部材をケーブルの外周面に密着して巻き付ける工程と、前記ケーブル外周封止部材の外周に密着すると共に前記クロージャの端面の全面を被う全面封止部材を前記クロージャの端面に配備する工程と、前記全面封止部材の外周を囲んで当該全面封止部材を前記クロージャの端面側に押圧する押圧具を装着し、該押圧具によって前記全面封止部材を押圧する工程とを有することを特徴とする通信ケーブル用クロージャのガス漏洩補修工法。
【発明の効果】
【００１２】
このような特徴を有する本発明の通信ケーブル用クロージャのガス漏洩補修具及びガス漏洩補修工法によると、クロージャのガス漏洩をクロージャを解体すること無く抑止することができ、その抑止効果を長時間持続させることができる。
【図面の簡単な説明】
【００１３】
【図１】一般的なクロージャ（スタンダードクロージャ）の構造を示す説明図（部分断面斜視図）である。
【図２】一般的なクロージャ（スタンダードクロージャ）の構造を示す説明図（端面板の正面図）である。
【図３】一般的なクロージャ（スタンダードクロージャ）の構造を示す説明図（端面板の正面図）である。
【図４】本発明の第１実施形態に係るガス漏洩補修具を説明する説明図（装着状態を示す部分断面図）である。
【図５】本発明の第１実施形態に係るガス漏洩補修具を説明する説明図（全面封止部材と押し具を示す正面図）である。
【図６】本発明の第２実施形態に係るガス漏洩補修具を説明する説明図（装着状態を示す部分断面面図）である。
【図７】本発明の第２実施形態に係るガス漏洩補修具を説明する説明図（装着状態を示す正面図）である。
【発明を実施するための形態】
【００１４】
以下、図面を参照して本発明の実施形態を説明する（以下の説明で、各図内の共通部位は同一符号を付して重複説明を省略する。）。図１〜図３によって、一般的なクロージャ（スタンダードクロージャ）の構造について説明する。図１に示したクロージャ１は、接続対象となる双方の通信ケーブルＬ１，Ｌ２の端部間に装着されており、通信ケーブルＬ１，Ｌ２の通信線を接続する接続部２を囲んだ円筒状の枠体であり、通信ケーブルＬ１，Ｌ２のケーブル端部を挟む半割板３ａ，３ｂからなる端面板３と、端面板３の外周縁に取り付けられる半割スリーブ４ａ，４ｂからなるスリーブ４を備えている。
【００１５】
端面板３は、半割板３ａ，３ｂがガスケット３ｃ２を挟んでフランジ部３ｃにてネジ３ｃ１で接合されており、その中央部に通信ケーブルＬ１，Ｌ２の端部が挿通するケーブル端部挿通口３ｄが形成されている。通信ケーブルＬ１，Ｌ２のケーブル端部には、ケーブル端部挿通口３ｄ内の外周面にエアタイトテープ５が巻かれたシール部が形成されており、エアタイトテープ５の外周面がケーブル端部挿通口３ｄの内面に密着することで、ケーブル端部の外周面と端面板３との間の気密性が保たれている。
【００１６】
端面板３の外周縁と半割スリーブ４ａ，４ｂとの間にはガスケット６が配備され、半割スリーブ４ａ，４ｂの接合部にはスリーブガスケット７が配備されており、これによって、端面板３とスリーブ４との間或いは半割スリーブ４ａ，４ｂとの間の気密性が保たれている。スリーブ４は、半割スリーブ４ａ，４ｂを結合した状態で締め付けベルト８にて強固に締め付けられている。
【００１７】
このようなクロージャ１は、内部に気密空間が形成されており、これによって接続対象となる双方の通信ケーブルＬ１，Ｌ２間のガス流通が確保されている。すなわち、上流側の通信ケーブルＬ１内のガスがクロージャ１内に開放されたケーブル端部からクロージャ１内に流れ込み、クロージャ１内に開放された下流側の通信ケーブルＬ２のケーブル端部内に流入するようになっている。
【００１８】
クロージャ１は、図１に示すように、接続対象となる１本対１本の通信ケーブルＬ１，Ｌ２の端部間に装着されるだけでなく、分岐部を含む１本対多数本の通信ケーブルの端部間或いは多数本対多数本の通信ケーブルの端部間にも接続部又は分岐部を囲むように装着されている。この場合には、一方又は他方の通信ケーブルの数に応じて端面板３が異なる形態になる。図２は、一方の通信ケーブルが１本の場合の端面板３であり、前述したように半割板３ａ，３ｂを接合して、その中心部にケーブル端部挿通口３ｄが形成されている。図３は、一方又は他方の通信ケーブルが多数本の場合の端面板３の形態例であり、図３（ａ）に示した例は、半割板３ａ１，３ｂ１を接合して、２本の通信ケーブルＬ１ａ，Ｌ１ｂがそれぞれ挿通するケーブル端部挿通口３ｄ１，３ｄ２が形成されている。図３（ｂ）に示した例は、分割板３ｓ１，３ｓ２，３ｓ３を接合して、３本の通信ケーブルＬ１ｃ，Ｌ１ｄ，Ｌ１ｅがそれぞれ挿通するケーブル端部挿通口３ｄ３，３ｄ４，３ｄ５が形成されている。各例においても、ケーブル端部挿通口３ｄ１〜３ｄ５内にはケーブル端部の外周面にエアタイトテープ５を巻いたシール部が形成されている。
【００１９】
このようなクロージャ１は、前述したように振動の付加や経年劣化などによって内部の気密性が維持できない場合がある。その主要な漏洩箇所は、ケーブル端部挿通口３ｄ，３ｄ１〜３ｄ５内のシール部であるが、それに加えて、端面板３とスリーブ４との間のシール部や端面板３のフランジ部３ｃなども漏洩箇所になることが確認されている。本発明の実施形態は、このような複数箇所からのガス漏洩を補修する補修具及びその補修具を用いた補修工法を提案するものである。
【００２０】
図４及び図５は、本発明の第１実施形態に係るガス漏洩補修具を説明する説明図である。図４はガス漏洩補修具１０の装着状態を示している。ガス漏洩補修具１０は、ケーブル外周封止部材２０と全面封止部材２１と押圧具３０を備えている。
【００２１】
ケーブル外周封止部材２０は、クロージャ１の外側で通信ケーブルＬの外周面に密着して巻かれるものであり、例えば、ゴム材などの弾性板状部材によって形成することができる。このケーブル外周封止部材２０は、端面板３のケーブル端部挿通口３ｄの外側のケーブル外周面に装着される。ケーブル端部挿通口３ｄ内にはケーブル端部に巻かれたエアタイトテープ５によってシール部が形成されており、このシール部を覆うようにケーブル外周封止部材２０が装着されている。
【００２２】
全面封止部材２１は、ケーブル外周封止部材２０の外周を囲んでクロージャ１の端面全面を被うように配備される。この全面封止部材２１は、ゴム材などの弾性部材で形成される厚手の板状部材であり、通信ケーブルＬを挿通する中空部２１ａを備えている。図５に示すように、全面封止部材２１は、ケーブル端部の周囲に配置できるようにＣ割状になっている。ここではＣ割状の例を示しているが、これに限らず中空部２１ａを分割する分割状のものであってもよい。通信ケーブルＬの外径は様々な寸法であるが、通信ケーブルＬに巻くケーブル外周封止部材２０の巻き具合を調整することで、ケーブル外周封止部材２０の外周径を一定の値にすることができ、これによって全面封止部材２１の中空部２１ａの孔径を規格化することができる。
【００２３】
押圧具３０は、全面封止部材２１の外周を囲んで全面封止部材２１をクロージャ１の端面側に押圧する治具であり、クロージャ１の外周面（スリーブ４の外周面）に固定される固定リング３３と、全面封止部材２１を押す押し具（枠部材３１，押しフレーム３２）と、固定リング３３側に押し具（枠部材３１，押しフレーム３２）を引き寄せる引き寄せネジ（引き寄せ具）３４を備えている。枠部材３１は、図５に示すように、半割状の分割体３１Ａ，３１Ｂによって構成され、全面封止部材２１の外周を囲んで結合ネジ３１Ｃで結合される。
【００２４】
このようなガス漏洩補修具１０は、押しフレーム３２のネジ挿通部３２ｓと固定リング３３のネジ挿通部３３ｓとの間に挿通される複数の引き寄せネジ（引き寄せ具）３４を締め付けることによって、押しフレーム３２をクロージャ１に固定された固定リング３３側に移動させ、押しフレーム３２が枠部材３１を端面板３側に押すことで、全面封止部材２１がスリーブ４の正面に押し付けられる。
【００２５】
この際、全面封止部材２１における中空部２１ａの内面はケーブル外周封止部材２０の外周面に密着しているので、スリーブ４の正面側がケーブル外周封止部材２０と全面封止部材２１によって封止されることになる。これによって、端面板３のケーブル端部挿通口３ｄ内のエアタイトテープ５によるシール部、端面板３の外周面とスリーブ４の内面との間のシール部、端面板３のフランジ部３ｃのシール部を全て、ケーブル外周封止部材２０と全面封止部材２１とによって密封することができ、クロージャ１のガス漏洩を効果的に抑止することができる。
【００２６】
図６及び図７は、本発明の第２実施形態に係るガス漏洩補修具を説明する説明図である。図６はガス漏洩補修具１０Ａの装着状態を示した部分断面図であり、図７はその正面図である。ガス漏洩補修具１０Ａは、前述した実施形態と同様に、ケーブル外周封止部材２０と全面封止部材２１と押圧具３０を備えている。
【００２７】
押圧具３０は、前述した実施形態と同様に、クロージャ１の外周面（スリーブ４）に固定される固定リング３３と、全面封止部材２１を押す枠部材（押し具）３１と、固定リング３３側に枠部材３１を引き寄せる引き寄せネジ（引き寄せ具）３４とを備えている。枠部材３１は、全面封止部材２１の周囲を囲む半割状の部材である。そして、押し具としては、枠部材３１に固定されて全面封止部材２１の中央部分を押す押し板部材３５を備えている。また、枠部材３１と押し板部材３５（押し具）によってクロージャ１側に押されてケーブル外周封止部材２０を押圧する押圧部材３６と、押圧部材３６をケーブルＬの周囲に巻き止める巻き止め部材３７とを備えている。
【００２８】
この実施形態では枠部材３１にネジ挿通部３１ｓが設けられており、このネジ挿通部３１ｓと固定リング３３のネジ挿通部３３ｓとの間に挿通される複数の引き寄せネジ（引き寄せ具）３４を締め付けることによって、枠部材３１をクロージャ１に固定された固定リング３３側に移動させ、全面封止部材２１がスリーブ４の正面に押し付けられる。
【００２９】
この際、枠部材３１に押し板部材３５が固定されていることで、全面封止部材２１の周囲がスリーブ４の正面に押し付けられるだけで無く、全面封止部材２１の中央部分が端面板３の外側に押し付けられる。そして、枠部材３１と押し板部材３５が押圧部材３６をケーブル外周封止部材２０に押圧することで、ケーブル外周封止部材２０の抜け止めがなされると共に、ケーブル外周封止部材２０の外周と全面封止部材２１における中空部２１ａの内面との密着性を更に高めることができる。これによって、端面板３のケーブル端部挿通口３ｄ内のエアタイトテープ５によるシール部、端面板３の外周面とスリーブ４の内面との間のシール部、端面板３のフランジ部３ｃのシール部を全て、ケーブル外周封止部材２０と全面封止部材２１とによって密封することができ、クロージャ１のガス漏洩を効果的に抑止することができる。
【００３０】
このようなガス漏洩補修具１０，１０Ａを用いたガス漏洩補修工法によると、クロージャ１の外側でケーブル外周封止部材２０を通信ケーブルＬの外周面に密着して巻き付ける工程と、ケーブル外周封止部材２０の外周に密着すると共にクロージャ１の端面の全面を被う全面封止部材２１をクロージャ１の端面に配備する工程と、全面封止部材２１の外周を囲んで、全面封止部材２１をクロージャ１の端面側に押圧する押圧具３０を装着し、押圧具３０によって全面封止部材２１を押圧する工程とを有する。これによって、通信ケーブルＬの外周と端面板３との間のシール部や端面板３とスリーブ４との間のシール部などからのガス漏洩をクロージャ１を解体すること無く抑止することができ、通信ケーブルＬの外周面がポリエチレン製などで樹脂などに接着しにくいものであっても、ケーブル外周封止部材２０と全面封止部材２１の密着によって効果的にシール部のガス漏洩を抑止することができる。そして、その抑止効果を長時間持続させることができる。
【符号の説明】
【００３１】
１：クロージャ，２：接続部，３：端面板，
３ａ，３ｂ，３ａ１，３ｂ１：半割板，
３ｓ１，３ｓ２，３ｓ３：分割板，
３ｃ：フランジ部，３ｃ１：ネジ，３ｃ２：ガスケット，
３ｄ，３ｄ１〜３ｄ５：ケーブル端部挿通口，
４：スリーブ，４ａ，４ｂ：半割スリーブ，
５：エアタイトテープ，６：ガスケット，７：スリーブガスケット，
８：締め付けベルト，
１０，１０Ａ：ガス漏洩補修具，
２０：ケーブル外周封止部材，２１：全面封止部材，２１ａ：中空部，
３０：押圧具，３１：枠部材（押し具），３１Ａ，３１Ｂ：半割体，
３１Ｃ：結合ネジ，３１ｓ：ネジ挿通部，
３２：押しフレーム（押し具），３２ｓ：ネジ挿通部，
３３：固定リング，３３ｓ：ネジ挿通部，
３４：引き寄せネジ（引き寄せ具），
３５：押し板部材（押し具），３６：押圧部材，３７：巻き止め部材，
Ｌ，Ｌ１，Ｌ２，Ｌ１ａ〜Ｌ１ｅ：通信ケーブル（ケーブル）
【図１】
2016063656.tif 000003
【図２】
2016063656.tif 000004
【図３】
2016063656.tif 000005
【図４】
2016063656.tif 000006
【図５】
2016063656.tif 000007
【図６】
2016063656.tif 000008
【図７】
2016063656.tif 000009